(57)【要約】      （修正有）【課題】アプリケーションのインストールを行うことなく、スマホなどをリモコン端末として使用することのできるリモコンシステムを提供する。【解決手段】リモコンシステムは、メインサーバ１０とルームコントローラ２０とによって構成される。ルームコントローラは、ホテルの客室などに備え付けの設備機器を操作する機能を有する。メインサーバは、各ルームコントローラの識別情報と認証情報とを対応付けて記憶部１３に記憶する。ルームコントローラは、表示パネル２４において、ネットワーク３０を介してメインサーバにアクセスするためのアドレス情報、および当該ルームコントローラに割り当てられた認証情報が含まれた二次元コードを提示する。メインサーバは、アドレス情報に基づいてアクセスしてきた端末装置４０に対し、認証情報に基づいて認証を行い、認証された端末装置に対して設備機器への操作権を与える。【選択図】図１
0003232807.tif 000002
【実用新案登録請求の範囲】
【請求項１】
ネットワーク接続が可能な端末装置を、特定の部屋に備え付けの設備機器を操作するリモコン端末として使用可能なリモコンシステムであって、
前記特定の部屋に備えられ、当該特定の部屋に備え付けの前記設備機器を操作する機能を有するルームコントローラと、
前記ルームコントローラの識別情報と、前記ルームコントローラに割り当てられた認証情報とを対応付けて記憶するサーバと、
ネットワークを介して前記サーバにアクセスするためのアドレス情報、および当該ルームコントローラに割り当てられた認証情報が含まれたＱＲコードを提示するＱＲコード提示手段とを備えており、
前記サーバは、前記アドレス情報に基づいて当該サーバにアクセスしてきた前記端末装置に対し、前記認証情報に基づいて認証を行い、認証された前記端末装置に対して、前記認証情報に対応して記憶されている前記識別情報に対応したルームコントローラによって操作可能な設備機器への操作権を与えることを特徴とするリモコンシステム。
【請求項２】
請求項１に記載のリモコンシステムであって、
前記サーバに記憶される認証情報が所定のタイミングで変更可能であり、前記サーバに記憶される認証情報が変更された場合は、前記ＱＲコード提示手段が提示するＱＲコードに含まれる認証情報も変更されることを特徴とするリモコンシステム。
【請求項３】
請求項１または２に記載のリモコンシステムであって、
前記サーバは、複数の前記ルームコントローラとネットワークを介して接続されており、複数の前記ルームコントローラの識別情報と認証情報とを一括管理していることを特徴とするリモコンシステム。
【請求項４】
請求項１または２に記載のリモコンシステムであって、
前記サーバは、前記ルームコントローラと１対１に対応して設置されており、対応する前記ルームコントローラの認証情報のみを管理していることを特徴とするリモコンシステム。
【請求項５】
請求項１から４の何れか１項に記載のリモコンシステムであって、
前記ＱＲコード提示手段は、前記ルームコントローラに備えられていることを特徴とするリモコンシステム。
【請求項６】
請求項５に記載のリモコンシステムであって、
前記ルームコントローラは、表示パネルを備えており、
前記表示パネルが前記ＱＲコード提示手段として使用されることを特徴とするリモコンシステム。
【考案の詳細な説明】
【技術分野】
【０００１】
本考案は、スマートフォン（以下、スマホ）などをリモコン端末として使用可能なリモコンシステムに関する。
【背景技術】
【０００２】
ホテルなどの施設において、客室に備え付けの設備機器（空調機器（エアコン）、テレビ、照明装置など）は宿泊客自身によって操作が行われる。しかしながら、客室に備え付けのリモコンやスイッチは不特定の人の手が触れるものであり、感染症などへの不安から、備え付けのリモコンやスイッチに触れたくない宿泊客もいると考えられる。
【０００３】
このような状況において、宿泊客が自身のスマホをリモコン端末として用いて設備機器の操作を行うことができれば、宿泊客の不安を解消できる。特許文献１には、スマホに専用のアプリケーションを入れることで、スマホにより照明装置の遠隔操作が行える照明制御システムが開示されている。
【先行技術文献】
【特許文献】
【０００４】
【特許文献１】特開２０２１−５４９３号公報
【考案の概要】
【考案が解決しようとする課題】
【０００５】
特許文献１の照明制御システムは、スマホにアプリケーションを入れる必要があり、短期間の宿泊者などにとってアプリケーションのインストール作業は手間となる。
【０００６】
本考案は、上記課題に鑑みてなされたものであり、アプリケーションのインストールを行うことなく、スマホなどをリモコン端末として使用することのできるリモコンシステムを提供することを目的とする。
【課題を解決するための手段】
【０００７】
上記の課題を解決するために、本考案のリモコンシステムは、ネットワーク接続が可能な端末装置を、特定の部屋に備え付けの設備機器を操作するリモコン端末として使用可能なリモコンシステムであって、前記特定の部屋に備えられ、当該特定の部屋に備え付けの前記設備機器を操作する機能を有するルームコントローラと、前記ルームコントローラの識別情報と、前記ルームコントローラに割り当てられた認証情報とを対応付けて記憶するサーバと、ネットワークを介して前記サーバにアクセスするためのアドレス情報、および当該ルームコントローラに割り当てられた認証情報が含まれたＱＲコード（商標名）を提示するＱＲコード提示手段とを備えており、前記サーバは、前記アドレス情報に基づいて当該サーバにアクセスしてきた前記端末装置に対し、前記認証情報に基づいて認証を行い、認証された前記端末装置に対して、前記認証情報に対応して記憶されている前記識別情報に対応したルームコントローラによって操作可能な設備機器への操作権を与えることを特徴としている。
【０００８】
上記の構成によれば、特定の部屋を利用する利用者が、ＱＲコード提示手段に表示されるＱＲコードを自身のスマホ（すなわち、ネットワーク接続が可能な端末装置）などで読み取らせることで、ＱＲコードに含まれるアドレス情報によってスマホをサーバにアクセスさせ、かつＱＲコードに含まれる認証情報によって認証も行うことができる。すなわち、ＱＲコードをスマホで読み取るのみで、当該スマホに特定の部屋に備え付けの設備機器を操作する操作権が与えられる。利用者は、スマホにアプリケーションのインストールを行うことなく、自身のスマホをリモコン端末として使用することができる。
【０００９】
また、上記リモコンシステムは、前記サーバに記憶される認証情報が所定のタイミングで変更可能であり、前記サーバに記憶される認証情報が変更された場合は、前記ＱＲコード提示手段が提示するＱＲコードに含まれる認証情報も変更される構成とすることができる。
【００１０】
上記の構成によれば、特定の部屋を利用する利用者が変わった場合、それに応じて認証情報を変更することで、前の利用者は設備機器への操作権を失うことになり、常に現在の利用者にのみ操作権を与えることができる。
【００１１】
また、上記リモコンシステムでは、前記サーバは、複数の前記ルームコントローラとネットワークを介して接続されており、複数の前記ルームコントローラの識別情報と認証情報とを一括管理している構成とすることができる。
【００１２】
また、上記リモコンシステムでは、前記サーバは、前記ルームコントローラと１対１に対応して設置されており、対応する前記ルームコントローラの認証情報のみを管理している構成とすることができる。
【００１３】
また、上記リモコンシステムでは、前記ＱＲコード提示手段は、前記ルームコントローラに備えられている構成とすることができる。
【００１４】
上記の構成によれば、特定の部屋を利用する利用者のみに、確実にＱＲコードを提示することができる。
【００１５】
また、上記リモコンシステムでは、前記ルームコントローラは、表示パネルを備えており、前記表示パネルが前記ＱＲコード提示手段として使用される構成とすることができる。
【００１６】
上記の構成によれば、ＱＲコードを提示が容易であり、ＱＲコードの変更にも容易に対応できる。
【考案の効果】
【００１７】
本考案のリモコンシステムは、ＱＲコードをスマホで読み取らせることで、特定の部屋に備え付けの設備機器を操作する操作権を当該スマホに与えることができ、アプリケーションのインストールを行うことなく、スマホなどをリモコン端末として使用できるといった効果を奏する。
【図面の簡単な説明】
【００１８】
【図１】本考案の一実施形態を示すものであり、リモコンシステムの概略構成を示す機能ブロック図である。
【図２】リモコンシステムのルームコントローラにおける表示パネルの初期表示画面例を示す図である。
【図３】本考案の一実施形態を示すものであり、リモコンシステムの他の構成を示す機能ブロック図である。
【考案を実施するための形態】
【００１９】
以下、本考案の実施の形態について、図面を参照して詳細に説明する。図１は、本実施の形態に係るリモコンシステム（以下、本システム）の概略構成を示す機能ブロック図である。尚、以下の説明では、本システムが適用される施設がホテルであり、客室（特定の部屋）に備え付けの設備機器を宿泊客（特定の部屋の利用者）が自身のスマホで操作できるようにするシステムを例示する。但し、本システムの適用施設は、ホテルに限定されるものではなく、リモコン操作可能な何らかの設備機器を含む部屋を不特定の利用者に貸し出す施設であれば、レンタル会議室やカラオケ店など、他の施設においても適用可能である。
【００２０】
図１に示すように、本システムは、メインサーバ１０とルームコントローラ２０とによって構成される。メインサーバ１０は、例えば、本システムの適用施設に備えられ、ルームコントローラ２０は、メインサーバ１０に対してネットワーク３０を介して接続可能となっている。また、図１では、ルームコントローラ２０を１台のみ図示しているが、実際には、ルームコントローラ２０はホテルの各客室において備えられるものであり、メインサーバ１０に対して複数のルームコントローラ２０が接続可能となっている。
【００２１】
また、本システムにおいては、端末装置４０や管理者端末４１がネットワーク３０を介してアクセス可能となっている。端末装置４０は、ホテルの宿泊客自身が所有するスマホやタブレットなど、ネットワーク接続が可能な端末装置である。本システムの適用施設（ここではホテル）は、アクセスポイント３１が適宜設けられており、端末装置４０がＷｉＦｉ接続するための無線ＬＡＮ（Local Area Network）環境が整備されている。この場合のネットワーク３０は、主に無線ＬＡＮによって提供されるが、一部は有線であってもよい。管理者端末４１は、ホテル従業員などの管理者が本システムにアクセスするための端末装置（パソコンなど）であり、所定のログインＩＤおよびパスワードの入力によって本システムにログインできる。
【００２２】
メインサーバ１０は、制御部１１、通信部１２および記憶部１３を備えている。通信部１２は、ネットワーク３０を介した通信を行う。記憶部１３は、本システムに含まれる各ルームコントローラ２０の識別情報と、各ルームコントローラ２０に割り当てられた認証情報とを対応付けて記憶している。制御部１１は、メインサーバ１０における全体の制御を行う。
【００２３】
ルームコントローラ２０は、制御部２１、通信部２２、機器操作部２３および表示パネル２４を備えている。通信部２２は、ネットワーク３０を介した通信を行う。機器操作部２３は、客室に備え付けの設備機器（テレビ、照明機器、エアコンなど）を操作するための操作信号（例えば、赤外線信号）を送信する。表示パネル２４は、宿泊客からの操作入力を可能とするタッチパネルであり、上述の設備機器の操作画面を表示することが可能となっている。すなわち、宿泊客は、ルームコントローラ２０の表示パネル２４の操作画面から設備機器の操作を行うことも可能である。制御部２１は、ルームコントローラ２０における全体の制御を行う。尚、図１では、ルームコントローラ２０の一部として表示パネル２４を含めているが、表示パネル２４はルームコントローラ２０に対して有線もしくは無線接続された別体として設けられていてもよい。
【００２４】
本システムにおける特徴は、ルームコントローラ２０を設備機器の操作に使用することではなく、別の点にある。具体的には、本システムのルームコントローラ２０は、表示パネル２４において後述するＱＲコード表示を行い、このＱＲコードを読み込ませたスマホを設備機器のリモコン端末として使用可能とすることを特徴としている。
【００２５】
本システムでは、各客室における宿泊客は、自身が所有するスマホを端末装置４０として使用し、この端末装置４０から客室に備え付けの設備機器を操作することができる。そのための具体的構成について、以下に説明する。
【００２６】
図２は、ルームコントローラ２０における表示パネル２４の初期表示画面例を示す図である。図２に示す初期表示画面には、操作対象とする設備機器を選択するための複数の選択キー２４１と、ＱＲコード２４２とが表示されている。宿泊客がルームコントローラ２０を用いて設備機器の操作を行う場合には、表示されている選択キー２４１の何れかにタッチする。例えば、宿泊客がエアコンの選択キー２４１にタッチすれば、表示パネル２４の表示画面はエアコンの操作画面に切り替わり、宿泊客はルームコントローラ２０を用いてエアコンの操作を行うことができる。
【００２７】
一方、宿泊客が、自身が所有するスマホ（すなわち、端末装置４０）をリモコン端末として用い、設備機器の操作を行いたい場合には、スマホのＱＲコード読取機能を用いて、ルームコントローラ２０の表示パネル２４に表示されているＱＲコード２４２を読み取らせる。この場合は、ルームコントローラ２０の表示パネル２４がＱＲコード提示手段となる。このＱＲコード２４２には、少なくとも、ネットワーク３０を介してメインサーバ１０にアクセスするためのアドレス情報、およびルームコントローラ２０に割り当てられる認証情報が含まれている。また、ＱＲコード２４２には、ルームコントローラ２０の識別情報（ＩＤ番号など）が含まれる場合もある。尚、ここでのＱＲコード２４２は、メインサーバ１０で作成されてルームコントローラ２０に送信されたものが表示される。あるいは、ＱＲコード２４２は、ルームコントローラ２０側で作成されるものであってもよいが、その場合は、ＱＲコード２４２に含める認証情報はメインサーバ１０から通知される。
【００２８】
宿泊客が自身のスマホによってＱＲコード２４２を読み取ると、ＱＲコード２４２に含まれるアドレス情報によってスマホがメインサーバ１０にアクセスし、本システムへのログイン許可を求める。ＱＲコード２４２にルームコントローラ２０の識別情報が含まれる場合の具体例では、本システムへのログイン許可を求めるために、スマホはＱＲコード２４２に含まれるルームコントローラ２０の識別情報、およびルームコントローラ２０に割り当てられた認証情報をメインサーバ１０に送信する。
【００２９】
一方、メインサーバ１０では、記憶部１３において、本システムに含まれる各ルームコントローラ２０の識別情報と、各ルームコントローラ２０に割り当てられた認証情報とを対応付けて記憶している。メインサーバ１０は、スマホから通知された識別情報に対し、スマホから通知された認証情報と記憶部１３に記憶されている認証情報とが一致するか否かを確認し、これらが一致すれば本システムのログインを許可する。これにより、宿泊客のスマホが図１に示す端末装置４０となり、識別情報に対応したルームコントローラ２０によって操作可能な設備機器、言い換えれば宿泊客が宿泊している客室内の設備機器への操作権が与えられる。
【００３０】
操作権が与えられたスマホには、メインサーバ１０から送信される画面データによって操作画面が表示され、宿泊客は、スマホ表示された操作画面にタッチして、客室内の設備機器の操作を行うことができる。このときの本システムにおける操作制御は、以下のような手順となる。まず、宿泊客がスマホの操作画面にタッチ操作すると、そのタッチ操作に対応する操作情報がネットワーク３０を介してメインサーバ１０に送られ、メインサーバ１０を介してルームコントローラ２０に送られる。ルームコントローラ２０は、メインサーバ１０から受信した操作情報に基づいて、設備機器の操作を行うことができる。
【００３１】
以上のように、本システムでは、宿泊客は、客室にある表示パネル２４に表示されたＱＲコード２４２を自身のスマホに読み取らせるだけで、自身のスマホをリモコン端末として用い、客室内の設備機器を操作することができる。すなわち、自身のスマホをリモコン端末として使用するにあたって、アプリケーションのインストールなどが必要無く、使用方法が簡易であり、誰でも簡単に本システムが使用できる。無論、ＱＲコード２４２をスマホに読み取らせるだけであれば、宿泊客はルームコントローラ２０などに触れる必要は無く、本システムは感染症対策としても極めて有効である。
【００３２】
また、本システムでは、スマホを用いた端末装置４０は、インターネットからメインサーバ１０にアクセスし、メインサーバ１０を介して設備機器の操作を行うものであるため、ＷｉＦｉ環境のあるところであれば、客室外からでも設備機器の操作が可能となり、利便性も向上する。尚、宿泊客が、客室外（すなわちＱＲコード２４２の表示が無い場所）から本システムにアクセスしようとする場合、一度、客室でＱＲコード２４２をスマホに読み取らせて本システムにログインした後、２回目以降はスマホに記憶された履歴などから本システムに再ログインすればよい。
【００３３】
本システムでは、宿泊客自身のスマホに客室内の設備機器への操作権を与えることができるが、この操作権は、宿泊中の宿泊客のみに与えられる必要がある。すなわち、チェックアウトした宿泊客による設備機器への操作は、チェックアウト後に直ちに行えなくする必要がある。
【００３４】
このため、本システムでは、宿泊客がチェックアウトすると、メインサーバ１０の記憶部１３において、ルームコントローラ２０の識別情報に対応付けられた認証情報が変更される。この認証情報の変更は、管理者端末４１からメインサーバ１０への指示によって行われる。記憶部１３に記憶される認証情報が変更されれば、当然ながら、表示パネル２４に表示されるＱＲコード２４２も変更される。こうして認証情報が変更された後は、チェックアウトした宿泊客は設備機器への操作権を失うことになり、変更後のＱＲコード２４２を読み込んだ新たなスマホ（すなわち、新たな宿泊客）に次の操作権が与えられることになる。尚、変更される新たな認証情報は、管理者端末４１からの変更指示に基づいて、メインサーバ１０が自動生成するものとすることが好ましい。
【００３５】
また、ＱＲコード２４２には、メインサーバ１０のアドレス情報、およびルームコントローラ２０に割り当てられた認証情報が含まれるが、これらの情報は、別個の情報であるとは限らず、一体的な情報であってもよい。
【００３６】
例えば、ＱＲコード２４２は、メインサーバ１０内で所定のルームコントローラ２０の識別情報の記憶領域のアドレスまでを含むＵＲＬの情報のみであってもよい。この場合、ＱＲコード２４２を読み取ったスマホがアクセスする記憶領域にルームコントローラ２０の識別情報が記憶されていれば、メインサーバ１０はそのスマホを認証し、識別情報に対応したルームコントローラ２０によって操作可能な設備機器への操作権を与える。
【００３７】
さらにこの場合、宿泊客がチェックアウトすると、その客室におけるルームコントローラ２０の識別情報を記憶する記憶領域のアドレス自体が変更され、これに伴って提示されるＱＲコード２４２も変更となる。このため、チェックアウトした宿泊客が、変更前のＱＲコード２４２の情報に基づいてアクセスを試みても、そのアドレス先にはルームコントローラ２０の識別情報が記憶されておらず、スマホの認証が行われなくなる。
【００３８】
このように、ＱＲコード２４２を、メインサーバ１０内で所定のルームコントローラ２０の識別情報の記憶領域のアドレスまでを含むＵＲＬの情報のみとする場合、“識別情報の記憶領域のアドレス”が認証情報に相当する。すなわち、このＵＲＬの情報が、メインサーバ１０のアドレス情報とルームコントローラ２０に割り当てられた認証情報とを一体的に含んだものとなる。また、この場合、メインサーバ１０の記憶部１３では、所定の記憶領域にルームコントローラ２０の識別情報が記憶されることが、ルームコントローラ２０の識別情報と、ルームコントローラ２０に割り当てられた認証情報（記憶領域のアドレス）とが対応付けて記憶されることに相当する。
【００３９】
今回開示した実施形態は全ての点で例示であって、限定的な解釈の根拠となるものではない。したがって、本考案の技術的範囲は、上記した実施形態のみによって解釈されるものではなく、特許請求の範囲の記載に基づいて画定される。また、特許請求の範囲と均等の意味および範囲内での全ての変更が含まれる。
【００４０】
例えば、上記説明では、メインサーバ１０を、本システムを採用する施設内に設置するものとしているが、本考案はこれに限定されるものではない。例えば、図１におけるネットワーク３０をインターネットとし、メインサーバ１０をクラウドサーバとする（本システムをクラウドサービスとして提供する）ことも可能である。
【００４１】
また、上記説明の図１の例では、１台のメインサーバ１０に対して複数のルームコントローラ２０を接続する構成、すなわち、１台のメインサーバ１０で複数のルームコントローラ２０の認証情報を一括管理する構成としている。しかしながら、本考案はこれに限定されるものではなく、図３に示すように、施設に１台設置されるメインサーバ１０に代えて、客室ごとにルームサーバ１０Ａを設置する構成であってもよい。ルームサーバ１０Ａの機能は、基本的にはメインサーバ１０と同じであるが、メインサーバ１０が複数のルームコントローラ２０の認証情報を一括管理するのに対し、ルームサーバ１０Ａは１台のルームコントローラ２０と１対１に対応して設置され、１つの認証情報のみが管理される。また図３の構成では、ルームサーバ１０Ａとルームコントローラ２０とを別体としているが、これらは一体化されていてもよい。
【００４２】
また、上記説明では、ＱＲコード２４２を表示パネル２４に表示することで宿泊客に提示する構成としているが、ＱＲコードの提示方法はこれに限定されるものではない。例えば、ルームコントローラ２０に印刷部を持たせ、ＱＲコードがプリントされた紙をルームコントローラ２０から印字出力して宿泊客に提示することも考えられる。この場合は、ルームコントローラ２０の印刷部がＱＲコード提示手段となる。
【００４３】
また、宿泊客がチェックインするときに、フロントにおいてＱＲコードがプリントされた紙（チェックイン表など）を印字出力して宿泊客に渡すことも考えられる。この場合は、フロントに備えられる印刷装置などがＱＲコード提示手段となる。すなわち、本考案のＱＲコード提示手段は、ルームコントローラ２０に備えられる形態には限定されない。無論、この場合の印刷装置も、ネットワーク３０を介してメインサーバ１０（もしくはルームサーバ１０Ａ）に接続可能である。また、上述した複数の形態のＱＲコード提示手段は、これらを併用することも可能である。
【符号の説明】
【００４４】
１０    メインサーバ（サーバ）
１０Ａ    ルームサーバ（サーバ）
１１    制御部
１２    通信部
１３    記憶部
２０    ルームコントローラ
２１    制御部
２２    通信部
２３    機器操作部
２４    表示パネル（ＱＲコード提示手段）
２４１    選択キー
２４２    ＱＲコード
３０    ネットワーク
３１    アクセスポイント
４０    端末装置
４１    管理者端末
【図１】
0003232807.tif 000003
【図２】
0003232807.tif 000004
【図３】
0003232807.tif 000005
【手続補正書】
【提出日】令和3年4月26日(2021.4.26)
【手続補正１】
【補正対象書類名】実用新案登録請求の範囲
【補正対象項目名】全文
【補正方法】変更
【補正の内容】
【実用新案登録請求の範囲】
【請求項１】
ネットワーク接続が可能な端末装置を、特定の部屋に備え付けの設備機器を操作するリモコン端末として使用可能なリモコンシステムであって、
前記特定の部屋に備えられ、当該特定の部屋に備え付けの前記設備機器を操作する機能を有するルームコントローラと、
前記ルームコントローラの識別情報と、前記ルームコントローラに割り当てられた認証情報とを対応付けて記憶するサーバと、
ネットワークを介して前記サーバにアクセスするためのアドレス情報、および当該ルームコントローラに割り当てられた認証情報が含まれたＱＲコード（登録商標）を提示するＱＲコード（登録商標）提示手段とを備えており、
前記サーバは、前記アドレス情報に基づいて当該サーバにアクセスしてきた前記端末装置に対し、前記認証情報に基づいて認証を行い、認証された前記端末装置に対して、前記認証情報に対応して記憶されている前記識別情報に対応したルームコントローラによって操作可能な設備機器への操作権を与えることを特徴とするリモコンシステム。
【請求項２】
請求項１に記載のリモコンシステムであって、
前記サーバに記憶される認証情報が所定のタイミングで変更可能であり、前記サーバに記憶される認証情報が変更された場合は、前記ＱＲコード（登録商標）提示手段が提示するＱＲコード（登録商標）に含まれる認証情報も変更されることを特徴とするリモコンシステム。
【請求項３】
請求項１または２に記載のリモコンシステムであって、
前記サーバは、複数の前記ルームコントローラとネットワークを介して接続されており、複数の前記ルームコントローラの識別情報と認証情報とを一括管理していることを特徴とするリモコンシステム。
【請求項４】
請求項１または２に記載のリモコンシステムであって、
前記サーバは、前記ルームコントローラと１対１に対応して設置されており、対応する前記ルームコントローラの認証情報のみを管理していることを特徴とするリモコンシステム。
【請求項５】
請求項１から４の何れか１項に記載のリモコンシステムであって、
前記ＱＲコード（登録商標）提示手段は、前記ルームコントローラに備えられていることを特徴とするリモコンシステム。
【請求項６】
請求項５に記載のリモコンシステムであって、
前記ルームコントローラは、表示パネルを備えており、
前記表示パネルが前記ＱＲコード（登録商標）提示手段として使用されることを特徴とするリモコンシステム。